(57)【要約】【課題】様々なタイプの通帳を自動取引装置で使用するために、それぞれの通帳のみに適応した個別ハードウェアの開発を不要とする。【解決手段】自動取引装置で扱う通帳１４に通帳の種類を判別できる情報や口座番号などの情報３５を書き込まれたＩＣチップ１８を埋め込み、通帳１４が通帳挿入口１３に近づいた時、通帳挿入口に取り付けられたＩＣチップリード機構１７でＩＣチップの情報３５を読み取り、読み取った通帳判別情報から通帳取扱機構１２の通帳搬送路ガイド１６の位置やＭＳヘッド１５の位置を変更し、挿入された通帳を扱えるようにする。【選択図】  図１
2005301636.tif 000002
【特許請求の範囲】
【請求項１】
通帳の挿入を受ける挿入部と、
前記挿入部に挿入される通帳の電気情報を読み取る読取部と、
前記挿入部に挿入された通帳を搬送して印字する通帳取扱部と、
前記ＩＣチップ読取部で読み取った情報に基づき、前記通帳取扱部を駆動する制御部とを有する自動取引装置。
【請求項２】
請求項１であって、
前記制御部は、前記ＩＣチップ読取部で読み取った情報に基づき、通帳の種別を判断する自動取引装置。
【請求項３】
請求項１又は２であって、
前記通帳取扱部は、通帳の搬送方向を規制する通帳搬送ガイドと、通帳の磁気ストライプを読み取る磁気ヘッドと、通帳に印字する印字ヘッドと、それらを駆動するモータを含み、
前記制御部は、前記モータを制御して、前記通帳搬送ガイドと、通帳の磁気ストライプと、前記印字ヘッドを移動する自動取引装置。
【発明の詳細な説明】
【技術分野】
【０００１】
金融機関等で利用される通帳を取り扱うＡＴＭ等の自動取引装置に関する。
【背景技術】
【０００２】
金融機関の合併や業務の連携などにより、一つの自動取引装置で利用が求めらている通帳の種類が増大している。
【０００３】
これに対応して特許文献１は、通帳を取り込む挿入口から挿入された通帳の情報を読み取る自動取引装置における、複数種類の通帳の読取方法であって、挿入口から取り込まれた通帳のイメージを取得してそのイメージをメモリに記憶し、記憶されたイメージから、第１の通帳に対応した処理モードによって、バーコードの認識を試みる。ここで認識できた場合には、通帳が第１の通帳であると特定され、その第１の通帳の処理モードで磁気ストライプを読む。第１の通帳に対応する処理モードでバーコードが認識できなかった場合には、ソフトウェア上で第２の通帳の処理モードに切り替えて、バーコードの認識を試み、認識できたときには、磁気ストライプから、第２の通帳の処理モードで磁気情報を読み取る発明を開示している。
【０００４】
【特許文献１】特開2003-196708号公報
【発明の開示】
【発明が解決しようとする課題】
【０００５】
しかしながら、特許文献１の発明では、バーコードのRetryが何度も発生する。判別すべき通帳種類が何十種類となった時、通帳種別を判断するまでに時間がかなり発生する可能性がある。また、通帳種別が判断できるまで時間がかかる。すなわち、バーコード→MSの順で読み取り、通帳の種別を判断しているため、１回目のTryで判断できたとしても時間がかかる。また、通帳の磁気ストライプ（ＭＳ）が磁気消えなどで読めない状態の場合、最後までリトライをした後に、通帳が使えないことが判明し、取引不可となる。
【課題を解決するための手段】
【０００６】
そこで発明者らは、一つの解決策として、通帳に搭載されたＩＣチップの情報を、自動取引装置への通帳の挿入前に読み取る読取部を自動取引装置に備え、ＩＣチップの情報で通帳の種類を判断し、通帳種類にあわせ、搬送ガイドや磁気読取機構や印字機構等を移動させる。
【発明の効果】
【０００７】
多種の通帳を効率的に処理できる。特に、特許文献１の発明に比べ、本発明では、挿入前に（かつ短時間で）通帳の種類を判断でき、通帳を効率的に処理できる。また、磁気情報を読み取れなかった場合にＩＣチップの情報を用いることが可能になる。
【発明を実施するための最良の形態】
【０００８】
本発明に好適な一実施形態を説明する。構成やステップ等を取捨選択して実施することも可能であり、また、本実施形態に本発明が限定されるものではない。
【０００９】
通帳の紙に埋め込むことのできるＩＣチップを、例えば通帳の表紙に搭載する。通帳を挿入する場合に自動取引装置に近い位置が望ましい。通常は通帳を開いた状態で挿入するため、通帳を開いた状態で通帳の先端（綴じ部と反対）側が自動取引装置に近い。ただし、通帳を閉じた状態で挿入することも考えられるため図１では表紙において綴じ部と先端との中間ほどにＩＣチップを備えているように示している。
【００１０】
自動取引装置の前面にある通帳挿入口に通帳が挿入される際に通帳に埋め込まれたＩＣチップの情報が読み取れる位置にＩＣチップ読取装置を搭載しておく。
【００１１】
使用者が通帳を自動取引装置の通帳挿入口に通帳を近づけた時に、通帳挿入口に搭載されたＩＣチップ読み取り装置が通帳に埋め込まれたＩＣチップの情報を読み取る。ＩＣチップには通帳の外形や磁気ストライプの位置、タイプ、口座番号などが書き込まれており、ＩＣチップ読取装置ではそれらの情報を全て読み取る。読み取られた通帳外形情報や磁気ストライプ位置、タイプ情報をもとに通帳取扱機構内の通帳搬送ガイドや磁気読み取り装置の位置を移動させる。
【００１２】
ＩＣチップに書き込まれた通帳の情報に従って通帳取扱機構の通帳種類に依存する機構を移動させることにより、様々な種類の通帳を一種類の通帳取扱機構を搭載した自動取引装置にて使用できるようになる。
【００１３】
図１はＩＣチップを埋め込まれた通帳とＩＣチップ読み取り器を自動取引装置の表面にある通帳挿入口に搭載した図である。図２は自動取引装置のハードウェア・ソフトウェアのシステム構成図である。図３は通帳に埋め込まれたＩＣチップのメモリの構成を示した図である。
【００１４】
ＩＣチップ１８が埋め込まれた通帳１４が自動取引装置１１の通帳挿入口１３にＩＣチップ通信可能距離内に近づいた時、通帳挿入口１３に取り付けられたＩＣチップ読み取り装置１７はＩＣチップ１８のメモリ情報を読み取る。ＩＣチップのメモリにはＩＣチップ情報３５が書き込まれており、スタートビット３１及びエンドビット３４と、口座番号や預金者を識別するＩＤを表す、口座番号・ＩＤビット３２が含まれる。また、通帳の外形タイプやＭＳ位置仕様を識別するために定められた通帳種類判別コード３３が含まれている。自動取引装置システム２９では、通帳取扱機構２１のＩＣチップ読取装置２４で読み取ったＩＣチップの情報３５を制御部２８に送信し、アプリケーション２７にて通帳識別情報３３を切り分ける。アプリケーション２７でから通帳識別情報３３をミドルウェア２６に送信する。通帳識別情報３３では、様々な種類の通帳外形サイズや磁気ストライプ仕様を識別できるようにそれぞれの通帳タイプを表すコード化されており、ＩＣチップのＩＣチップ情報３５にある通帳種類判別コードにはこのコード化された情報が書き込まれており、これに基づき通帳種類を判断できる。ミドルウェア２６でコード化されている通帳識別情報３３から通帳取扱機構の搬送路ガイド位置やＭＳヘッド位置や印字ヘッド位置の待機設定を決定し、通帳印字部２１の通帳搬送制御部２２と磁気ストライプ読み取り部２３に送信する。通帳搬送制御部では送信されてきた位置情報に従い、モータを駆動して通帳搬送路のガイド１６とＭＳヘッド位置１５と印字ヘッドを異動させる。通帳が通帳取扱機構の通帳挿入口１３から挿入されたときには、通帳搬送路のガイド１６とＭＳヘッド位置１５は、挿入された通帳に適合しており、通帳を自動取引装置１１に取りこみ、口座情報の読み取り、記帳が行える。
【図面の簡単な説明】
【００１５】
【図１】ＩＣチップリード機構を通帳挿入口に搭載した自動取引装置の通帳挿入口付近を示した図である。
【図２】取引装置のハードウェア及びソフトウェアの構成を示したシステム図である。
【図３】ＩＣチップのメモリ内の構成を示した図である。
【符号の説明】
【００１６】
１１  自動取引装置
１２  通帳取扱機構
１３  通帳挿入口
１４  通帳
１５  ＭＳヘッド
１６  通帳搬送路ガイド
１７  ＩＣチップリード機構
１８  ＩＣチップ
【図１】
2005301636.tif 000003
【図２】
2005301636.tif 000004
【図３】
2005301636.tif 000005